【手続補正書】
【提出日】平成16年8月30日(2004.8.30)
【手続補正１】
【補正対象書類名】特許請求の範囲
【補正対象項目名】全文
【補正方法】変更
【補正の内容】
【特許請求の範囲】
【請求項１】
男性失禁用デバイスであって、以下：
ユーザの腰部を取り巻くための腰巻であって、該腰巻は、該ユーザの腰部の周辺位置に該腰巻を維持するための複数のストラップを備え、該ユーザの腹部に隣接する、着用されるべき前面を有する、腰巻；
レザバであって、該腰巻の該前面に固定されて取り付けられた上部端、および下部端を有する、レザバ；
コンドームシースであって、該レザバの上部端内部に配置され、かつ該腰巻の該前面の内側に固定されて取り付けられた少なくともその一部を有し、該腰巻の近傍に、該レザバの該上部端が取り付けられており、該コンドームシースは、細長く、開口部を備えた下部端を有する陰茎コンドームを備え、該開口部は、該レザバ内の開口部と連絡している、コンドームシース；ならびに、
排出アセンブリであって、該レザバの低部端と連結しており、かつ該レザバ内の尿の選択的排出を可能にするための少なくとも１個の排出ロックを有する、排出アセンブリ、
を備える、デバイス。
【請求項２】
請求項１に記載のデバイスであって、前記陰茎コンドームは、上部端を備え、該上部端は、引き紐およびロックアセンブリを有し、該ロックアセンブリは、該コンドームの該上部端を陰茎の根元で締め、該陰茎に該上部端を快適に固定するのを可能にする、デバイス。
【請求項３】
請求項１に記載のデバイスであって、前記レザバに対する前記コンドームの低部端の開口部は、逆サイホンバルブを備える、請求項１に記載のデバイス。
【請求項４】
請求項１に記載のデバイスであって、前記排出アセンブリは、回転式バルブを備え、該排出アセンブリは、共通アダプタの形態の排出口を有し、該アダプタは、前記レザバの排出用の従来型の病院ベッドの尿容器と連結され得る、デバイス。
【請求項５】
請求項４に記載のデバイスであって、前記レザバの外面上に容器が備えられ、前記排出アセンブリは、前記共通アダプタの端部が、該容器と接続して、該レザバの偶発的な排出を防止するのを容易にし、かつ該排出アセンブリを、着用者のズボンの脚からあまり出過ぎないようにコンパクトな様式で維持するという両方を可能にするために折り畳まれるように適合される、デバイス。
【請求項６】
請求項１に記載のデバイスであって、前記腰巻の前記ストラップは、第一のストラップおよび第二のストラップを備え、該ストラップは、該腰巻の右側および左側から下方向に延びており、ストラップループの下部端に取り付けられた下部端をさらに有し、該ストラップループは、該腰巻の前面に取り付けられた上部端を有し、該腰巻およびストラップアセンブリは、男性の腰部に適切に方向付けられた男性失禁用デバイスを維持するように働く、デバイス。
【請求項７】
請求項６に記載のデバイスであって、前記コンドームは、上部端を有し、該上部端は、引き紐およびロックアセンブリを有し、該ロックアセンブリは、該コンドームの該上部端を陰茎の根元で締め、該陰茎に該上部端を快適に固定するのを可能にする、デバイス。
【請求項８】
男性失禁用デバイスであって、以下：
ユーザの腰部を取り巻くための腰巻であって、該ユーザの腰部の周辺位置に該腰巻を維持するための複数のストラップを備える、腰巻；
該腰巻の前面に固定して取り付けられた上部端を有するレザバ；
該レザバの上部端内部に配置された陰茎コンドームであって、該コンドームは、細長く、かつ開口部を備えた下部端を有し、該開口部は、該レザバ内の開口部と連絡しており、該陰茎コンドームは、上部端をさらに備え、該上部端は、該コンドームの該上部端を取り巻いて陰茎の根元周辺で締め、該陰茎に該上部端を固定するのを可能にするための引き紐アセンブリを有する、陰茎コンドーム；ならびに、
該レザバの低部端と連結しており、かつ該レザバ内の尿の選択的排出を可能にするための少なくとも１個の排出ロックを有する、排出アセンブリ、
を備える、デバイス。
【請求項９】
請求項８に記載のデバイスであって、前記コンドームの低部端の前記開口部は、逆サイホンバルブを備える、デバイス。
【請求項１０】
請求項８に記載のデバイスであって、前記排出アセンブリは、液体バルブを備え、かつ該排出アセンブリは、共通アダプタ排出口を有する、デバイス。
【請求項１１】
請求項１０に記載のデバイスであって、前記レザバの外面上に容器が備えられ、前記排出アセンブリは、前記共通アダプタの端部が、該容器に取り付けられ、該レザバの偶発的な排出を防止するのを容易にし、かつ該排出アセンブリをコンパクトな様式で維持するのを可能にするために折り畳まれるように適合される、デバイス。
【請求項１２】
男性失禁用デバイスであって、以下：
ユーザの腰部を取り巻くための腰巻であって、該腰巻は、該ユーザの腰部の周辺位置に該腰巻を維持するための複数のストラップを備え、該ストラップは、該腰巻の右側および左側から下方向に延びる、第一のストラップおよび第二のストラップを備え、ストラップループの下部端に取り付けられた下部端をさらに有し、該ストラップループは、該腰巻の前面に取り付けられた上部端を有する、腰巻；
該腰巻の前面に固定されて取り付けられた上部端を有するレザバ；
該レザバの上部端内部に配置された陰茎コンドームであって、該コンドームは、細長く、かつ開口部を備える下部端を有す、該開口部は、該レザバ内の開口部と連絡しており、該コンドームは、上部端をさらに備えており、該上部端は、該コンドームの該上部端を陰茎の根元で締め、該陰茎に該上部端を快適に固定するのを可能にするための引き紐およびロックアセンブリを有し、該レザバに対する該コンドームの下部端の該開口部は、逆サイホンバルブを備える、陰茎コンドーム；
該レザバの下部端と連結した排出アセンブリであって、該排出アセンブリは、回転式バルブ、および該レザバの排出用従来型の病院ベッドの尿容器と連結し得る共通アダプタの形態の排出口を有する、排出アセンブリ、ならびに、
該レザバの外面上の容器であって、該排出アセンブリは、該共通アダプタの端部が、該容器と接続して、該レザバの偶発的な排出を防止するのを容易にするために折り畳まれるように適合される、容器、
を備える、デバイス。
【請求項１３】
男性失禁用デバイスであって、以下：
ユーザの腰部を取り巻き、該ユーザの腰部の周辺位置に該腰巻を維持するための腰巻であって、該ユーザの腹部に隣接する、着用されるべき前面を有する、腰巻；
レザバであって、該腰巻の該前面に固定されて取り付けられた上部端、および下部端を有する、レザバ；
コンドームシースであって、該レザバの上部端内部に配置され、かつ該腰巻の該前面の内側に固定されて取り付けられた少なくともその一部を有し、該腰巻の近傍に、該レザバの該上部端が取り付けられており、該コンドームシースは、細長く、開口部を備えた下部端を有する陰茎コンドームを備え、該開口部は、該レザバ内の開口部と連絡しており、該陰茎コンドームは、該コンドームの該上部端を陰茎の根元で締め、該陰茎に該上部端を固定するのを可能にする、引き紐およびロッキングデバイスアセンブリを有する可撓性上部端をさらに備える、コンドームシース；ならびに、
排出アセンブリであって、該レザバの低部端と連結しており、かつ該レザバ内の尿の選択的排出を可能にするための少なくとも１個の排出ロックを有する、排出アセンブリ、
を備える、デバイス。
【請求項１４】
前記シースの一部は、前記腰巻の前面の内側に取り付けられている、請求項１３に記載のデバイス。
【請求項１５】
前記コンドームは、全ての男性に適応するように、約２１／２インチ幅および約７インチ長である、請求項１３に記載のデバイス。
【請求項１６】
前記コンドームは、ラテックスゴムから形成される、請求項１５に記載のデバイス。
【請求項１７】
請求項１３に記載のデバイスであって、前記引き紐およびロッキングデバイスアセンブリは、前記コンドームの前記上部端周辺に引き紐を備え、該引き紐は、該ロッキングデバイスを通って延びる端部を有し、該ロッキングデバイスを通して該引き紐を引くことによって、該引き紐を、該コンドームの該上部端で適切に気密に締め上げるのを可能にする、デバイス。
【請求項１８】
前記レザバに対する前記コンドームの下部端の開口部は、逆サイホンバルブを備える、請求項１３に記載のデバイス。
【請求項１９】
請求項１３に記載のデバイスであって、前記排出アセンブリは、バルブを備え、かつ該排出アセンブリは、従来型の尿容器と連結され得、該尿容器に該レザバを排出するための共通アダプタの形態の排出口を有する、デバイス。
【請求項２０】
請求項１９に記載のデバイスであって、前記レザバの外面上に容器が備えられ、前記排出アセンブリは、前記共通アダプタの端部が、該容器と接続して、該レザバの偶発的な排出を防止するのを容易にし、かつ該排出アセンブリを、着用者のズボンの脚からあまり出過ぎないようにコンパクトな様式で維持するという両方を可能にするために折り畳まれるように適合される、デバイス。
【請求項２１】
請求項１３に記載のデバイスであって、前記腰巻は、該腰巻の右側および左側から下方向に延び、かつストラップループの下部端に取り付けられた下部端をさらに有する、第一のストラップおよび第二のストラップを備え、該ストラップループは、該腰巻の前面に取り付けられた上部端を有し、該腰巻およびストラップアセンブリは、男性の腰部に適切に方向付けられた男性失禁用デバイスを維持するように働く、デバイス。
【請求項２２】
男性失禁用デバイスであって、以下：
ユーザの腰部用の腰巻であって、該腰巻は、該ユーザの腹部に隣接する、着用されるべき前面を有する、腰巻；
レザバであって、該腰巻の該前面に固定されて取り付けられた上部端、および下部端を有する、レザバ；
コンドームシースであって、該レザバの上部端内部に配置され、かつ該腰巻に固定されて取り付けられた少なくともその一部を有し、該腰巻の近傍に、該レザバの該上部端が取り付けられており、該コンドームシースは、細長く、開口部を備えた下部端を有する陰茎コンドームを備え、該開口部は、該レザバ内の開口部と連絡しており、該陰茎コンドームは、該コンドームの該上部端を陰茎の根元および根元周辺で締め、該陰茎に該上部端を快適に固定するのを可能にする、引き紐およびロッキングデバイスアセンブリを有する上部端を備える、コンドームシース；ならびに、
排出アセンブリであって、該レザバ内の尿の選択的排出を可能にするように、該レザバの低部端と連結されている、排出アセンブリ、
を備える、デバイス。
【請求項２３】
前記レザバに対する前記コンドームの下部端の開口部は、逆サイホンバルブを備える、請求項２２に記載のデバイス。
【請求項２４】
請求項２２に記載のデバイスであって、前記腰巻は、該腰巻の右側および左側から下方向に延び、かつストラップループの下部端に取り付けられた下部端をさらに有する、第一のストラップおよび第二のストラップを備え、該ストラップループは、該腰巻の前面に取り付けられた上部端を有し、該腰巻およびストラップは、男性の腰部に適切に方向付けられた男性失禁用デバイスを維持するように働く、デバイス。
【請求項２５】
前記コンドームは、ラテックスゴムから形成される、請求項２２に記載のデバイス。